(57)【要約】【課題】  両眼の眼幅とほぼ同等かそれより小さい画像表示面を有する画像表示手段を用いて、両眼視による良好な拡大画像の観察を行う。【解決手段】  面光源１と複数の微小開口部Ａが２次元に配置されたバルブ素子２とが近接して設けられる。そして、これらの各微小開口部Ａが任意の画像信号で制御されることにより、バルブ素子２の全面に渡って所望の画像が形成される。さらにこのバルブ素子２の画像形成面が左右に２分割され、分割されたそれぞれの画像形成面に対して適視距離から観察したときに拡大虚像の得られる光学手段が設けられる。この光学手段は、分割されたそれぞれの画像形成面のバルブ素子２を透過された光線を観察者の両眼１１Ｌ、１１Ｒの各瞳の方向に屈折させる第１の光学部材（凸レンズ）３Ｌ、３Ｒと、各微小開口部Ａからの透過光を収束させた上で略平行光束に変換させる第２の光学部材（マイクロ凸レンズ）４とから成る。【選択図】        図１
2006154482.tif 000002
【特許請求の範囲】
【請求項１】
両眼の眼幅とほぼ同等かそれより小さい画像表示面を有する画像表示装置であって、
前記画像表示面を左右に２分割し、前記２分割した各々の画像表示面に対して適視距離から観視したときに拡大虚像が得られるようにした光学手段と、
単一の画像を左右に２分割して右側の半分と同等かそれよりやや広い画像を前記２分割した左側の画像表示面に表示し、左側の半分と同等かそれよりやや広い画像を前記２分割した右側の画像表示面に表示するように制御された画像信号を形成する画像制御手段と
を設けることを特徴とする画像表示装置。
【請求項２】
両眼の眼幅とほぼ同等かそれより小さい画像表示面を有する画像表示装置であって、
前記画像表示面を左右に２分割し、前記２分割した各々の画像表示面に対して適視距離から観視したときに拡大虚像が得られるようにした光学手段と、
単一の画像を左右に２分割して右側の半分と同等かそれよりやや広い画像を前記２分割した左側の画像表示面に表示し、左側の半分と同等かそれよりやや広い画像を前記２分割した右側の画像表示面に表示するように制御された画像信号の供給される入力手段と
を設けることを特徴とする画像表示装置。
【請求項３】
前記やや広い画像は、前記２分割した左側及び右側の画像表示面に表示される画像の境界部分に重複する画像範囲を設定する
ことを特徴とする請求項１または請求項２のいずれかに記載の画像表示装置。
【請求項４】
前記光学手段は、複数の微小点光源が２次元に配置されて前記画像信号に従った画像を形成する画像形成手段と、各前記微小点光源からの照明光を前記両眼の各瞳の方向に屈折させる第１の光学部材と、各前記微小点光源からの照明光を収束させた上で略平行光束に変換させる第２の光学部材とを有し、
前記画像形成手段に形成される画像が前記第１及び第２の光学部材を通じて表示される
ことを特徴とする請求項１または請求項２のいずれかに記載の画像表示装置。
【請求項５】
前記光学手段は、複数の微小点光源が２次元に配置された照明手段と、各前記微小点光源からの照明光を前記両眼の各瞳の方向に屈折させる第１の光学部材と、各前記微小点光源からの照明光を収束させた上で略平行光束に変換させる第２の光学部材とを有し、
前記光学手段にて前記画像表示面を構成する画像表示手段の後方から照明を行う
ことを特徴とする請求項１または請求項２のいずれかに記載の画像表示装置。
【請求項６】
前記微小点光源の位置を移動させる手段を有し、
前記画像表示面を観視する前記両眼の眼幅の異同に応じて前記微小点光源の位置を移動させて眼幅調整を行う
ことを特徴とする請求項４または請求項５のいずれかに記載の画像表示装置。
【請求項７】
前記複数の微小点光源は多数の発光素子からなり、
前記微小点光源の位置の移動は前記発光素子の点灯位置を制御して行う
ことを特徴とする請求項６記載の画像表示装置。
【請求項８】
前記複数の微小点光源は面発光手段と多数の開口を有するバリア素子とからなり、
前記微小点光源の位置の移動は前記バリア素子の開口位置を制御して行う
ことを特徴とする請求項６記載の画像表示装置。
【請求項９】
前記複数の微小点光源の発光面積を拡大すると共に、前記画像の左右の入れ替えを止めて通常表示を行うための表示切替手段を有する
ことを特徴とする請求項４または請求項５のいずれかに記載の画像表示装置。
【請求項１０】
携帯端末装置の表示用アダプタとして用いる
ことを特徴とする請求項１〜９のいずれか一つに記載の画像表示装置。
【請求項１１】
電子情報処理装置の表示用アダプタとして用いる
ことを特徴とする請求項１〜９のいずれか一つに記載の画像表示装置。
【請求項１２】
前記画像には、そのコンテンツとして動画像、静止画像、サイトの画像、電子メールの画像、ドキュメントファイルの画像を含み、これらの画像が拡大虚像となるように表示される
ことを特徴とする請求項１〜９のいずれか一つに記載の画像表示装置。
【請求項１３】
前記画像表示面の周辺部を、黒色または暗色の外装とする
ことを特徴とする請求項１〜１２のいずれか一つに記載の画像表示装置。
【発明の詳細な説明】
【技術分野】
【０００１】
本発明は、例えば携帯電話機や、ＰＤＡ（Personal Digital Assistant）或いは携帯型ゲーム機等の電子情報処理装置に使用して好適な画像表示装置に関する。詳しくは、両眼の眼幅とほぼ同等かそれより小さい画像表示面を有する画像表示手段を用いて、より大きな画像の観察を良好に行うことができるようにするものである。
【背景技術】
【０００２】
携帯電話機等に用いられる画像表示装置において、単眼で観察するときに拡大虚像が得られるようにした装置が提案されている（例えば、特許文献１参照。）。
【０００３】
この特許文献１の画像表示装置においては、複数の微小点光源が２次元的に配列されて構成された照明手段と、各微小点光源からの光を眼球の方向へ屈曲させる第１光学部材と、各微小点光源からの光を収束させた上で略平行光束に変換する第２光学部材とを用いて、単眼を近接させたときに拡大虚像が得られるようにしたものである。
【特許文献１】特開２００４−２９２３６号公報
【発明の開示】
【発明が解決しようとする課題】
【０００４】
例えば携帯電話機において、電子メールの受信やインターネットサイトの閲覧など、画像表示装置を用いた機能が実施されるようになってきている。しかしながら従来の携帯電話機では、画像表示装置の画像表示面が小さいために、電子メールの画像やサイトなどの画像の観察には良好とはいえないものであった。
【０００５】
一方、画像表示装置においては、高画素密度のものを用いることが可能になってきており、このような高画素密度の画像は、いわゆるルーペなどを用いて拡大して観察することが可能となる。しかしながら、ルーペの装着には焦点距離に相当する空間が必要であり、小型の携帯電話機での実施は困難である。また、ルーペを別体のアダプタにして、必要時に画像表示装置に取り付けることも考えられるが、別体となるルーペの管理などが容易ではない。
【０００６】
これに対して、上述の特許文献１においては、複数の微小点光源が２次元的に配列されて構成された照明手段と、各微小点光源からの光を眼球の方向へ屈曲させる第１光学部材と、各微小点光源からの光を収束させた上で略平行光束に変換する第２光学部材とを用いて、単眼を近接させたときに拡大虚像が得られるようにしたものである。これによれば、比較的薄型の装置で拡大された画像の観察を行うことができる。
【０００７】
しかしながら特許文献１の発明では、拡大虚像の観察は単眼のみで可能となるため、電子メールの画像やサイトなどの画像の観察には、充分に良好な観察といえるものではなかった。また、その他の動画像や静止画像、ドキュメントファイルの画像などの観察においても、単眼のみでの観察は良好といえるものではない。
【０００８】
この発明はこのような点に鑑みて成されたものであって、本発明の目的は、両眼の眼幅とほぼ同等かそれより小さい画像表示面を有する画像表示手段を用いて、両眼視による良好な拡大画像の観察を行うことができるようにするものである。
【課題を解決するための手段】
【０００９】
上記の課題を解決し、本発明の目的を達成するため、請求項１に記載された発明は、両眼の眼幅とほぼ同等かそれより小さい画像表示面を有する画像表示装置であって、画像表示面を左右に２分割し、２分割した各々の画像表示面に対して適視距離から観視したときに拡大虚像が得られるようにした光学手段と、単一の画像を左右に２分割して右側の半分と同等かそれよりやや広い画像を２分割した左側の画像表示面に表示し、左側の半分と同等かそれよりやや広い画像を２分割した右側の画像表示面に表示するように制御された画像信号を形成する画像制御手段とを設けることを特徴とするものである。
【００１０】
また、上記の課題を解決し、本発明の目的を達成するため、請求項２に記載された発明は、両眼の眼幅とほぼ同等かそれより小さい画像表示面を有する画像表示装置であって、画像表示面を左右に２分割し、２分割した各々の画像表示面に対して適視距離から観視したときに拡大虚像が得られるようにした光学手段と、単一の画像を左右に２分割して右側の半分と同等かそれよりやや広い画像を２分割した左側の画像表示面に表示し、左側の半分と同等かそれよりやや広い画像を２分割した右側の画像表示面に表示するように制御された画像信号の供給される入力手段とを設けることを特徴とするものである。
【００１１】
さらに請求項３に記載の発明による画像表示装置は、請求項１または請求項２のいずれかに記載の構成において、やや広い画像は、２分割した左側及び右側の画像表示面に表示される画像の境界部分に重複する画像範囲を設定するものである。
【００１２】
請求項４に記載の発明による画像表示装置は、請求項１または請求項２のいずれかに記載の構成において、光学手段は、複数の微小点光源が２次元に配置されて画像信号に従った画像を形成する画像形成手段と、各微小点光源からの照明光を両眼の各瞳の方向に屈折させる第１の光学部材と、各微小点光源からの照明光を収束させた上で略平行光束に変換させる第２の光学部材とを有し、画像形成手段に形成される画像が第１及び第２の光学部材を通じて表示されるものである。
【００１３】
請求項５に記載の発明による画像表示装置は、請求項１または請求項２のいずれかに記載の構成において、光学手段は、複数の微小点光源が２次元に配置された照明手段と、各微小点光源からの照明光を両眼の各瞳の方向に屈折させる第１の光学部材と、各微小点光源からの照明光を収束させた上で略平行光束に変換させる第２の光学部材とを有し、光学手段にて画像表示面を構成する画像表示手段の後方から照明を行うものである。
【００１４】
請求項６に記載の発明による画像表示装置は、請求項４または請求項５のいずれかに記載の構成において、微小点光源の位置を移動させる手段を有し、画像表示面を観視する両眼の眼幅の異同に応じて微小点光源の位置を移動させて眼幅調整を行うものである。
【００１５】
請求項７に記載の発明による画像表示装置は、請求項６に記載の構成において、複数の微小点光源は多数の発光素子からなり、微小点光源の位置の移動は発光素子の点灯位置を制御して行うものである。
【００１６】
請求項８に記載の発明による画像表示装置は、請求項６に記載の構成において、複数の微小点光源は面発光手段と多数の開口を有するバリア素子とからなり、微小点光源の位置の移動はバリア素子の開口位置を制御して行うものである。
【００１７】
請求項９に記載の発明による画像表示装置は、請求項４または請求項５のいずれかに記載の構成において、複数の微小点光源の発光面積を拡大すると共に、画像の左右の入れ替えを止めて通常表示を行うための表示切替手段を有するものである。
【００１８】
請求項１０に記載の発明による画像表示装置は、請求項１〜９のいずれかに記載の構成において、携帯端末装置の表示用アダプタとして用いるものである。
【００１９】
請求項１１に記載の発明による画像表示装置は、請求項１〜９のいずれかに記載の構成において、電子情報処理装置の表示用アダプタとして用いるものである。
【００２０】
請求項１２に記載の発明による画像表示装置は、請求項１〜９のいずれかに記載の構成において、画像には、そのコンテンツとして動画像、静止画像、サイトの画像、電子メールの画像、ドキュメントファイルの画像を含み、これらの画像が拡大虚像となるように表示されるものである。
【００２１】
請求項１３に記載の発明による画像表示装置は、請求項１〜１２のいずれかに記載の構成において、画像表示面の周辺部を、黒色または暗色の外装とするものである。
【発明の効果】
【００２２】
以上述べた本発明によれば、両眼の眼幅とほぼ同等かそれより小さい画像表示面を有する画像表示手段を用いて、両眼視による良好な拡大画像の観察を可能とした画像表示装置を、容易に実現することができる。
【発明を実施するための最良の形態】
【００２３】
以下、図面を参照して本発明を説明するに、図１のＡ、Ｂ、及び図２のＡ、Ｂには、本発明を適用した画像表示装置の第１〜第４の実施形態の構成をそれぞれ模式図で示す。
【００２４】
図１のＡには画像表示装置の第１の実施形態を示す。この第１の実施形態においては、面光源１と複数の微小開口部Ａが２次元に配置されたバルブ素子２とが近接して設けられる。そして、これらの各微小開口部Ａが任意の画像信号で制御されることにより、バルブ素子２の全面に渡って所望の画像の形成される画像形成手段が構成される。なお、この画像形成手段を構成するバルブ素子２は、観察者の両眼１１Ｌ、１１Ｒの眼幅とほぼ同等かそれより小さい画像形成面を有しているものである。
【００２５】
さらにこのバルブ素子２の画像形成面が左右に２分割され、分割されたそれぞれの画像形成面に対して適視距離から観察したときに拡大虚像の得られる光学手段が設けられる。この光学手段は、分割されたそれぞれの画像形成面のバルブ素子２を透過された光線を観察者の両眼１１Ｌ、１１Ｒの各瞳の方向に屈折させる第１の光学部材（凸レンズ）３Ｌ、３Ｒと、各微小開口部Ａからの透過光を収束させた上で略平行光束に変換させる第２の光学部材（マイクロ凸レンズ）４とから成る。
【００２６】
すなわち、第１の光学部材３Ｌ、３Ｒは、例えば単一の凸レンズを２分割して左右を入れ替えて設置したものである。また、第２の光学部材４は、バルブ素子２の微小開口部Ａごとにマイクロ凸レンズが設けられたものである。これにより、バルブ素子２を透過された光線は、観察者の両眼１１Ｌ、１１Ｒの各瞳の方向に屈折され、さらに収束された上で略平行光束に変換されて画像表示面１０から放射される。なお、画像表示面１０には、放射される光線をカラー化するためのカラーフィルタ５が設けられる。
【００２７】
これによって、観察者の両眼１１Ｌ、１１Ｒでは、左右に２分割されたバルブ素子２の画像形成面が、それぞれ独立に観察されることになる。そしてこの場合に、それぞれの画像形成面は、第１及び第２の光学部材３Ｌ、３Ｒ、４の作用によって、適視距離から観察したときに拡大虚像が得られるように光学設計がされているものである。
【００２８】
また、図１のＢには画像表示装置の第２の実施形態を示す。この第２の実施形態においては、第１の実施形態の面光源１とバルブ素子２に替えて、複数の微小点光源Ｂが２次元に配置された光源装置６が設けられる。そして、これらの各微小点光源Ｂが任意の画像信号で制御されることにより、光源装置６の全面に渡って所望の画像の形成される画像形成手段が構成される。なお、この画像形成手段を構成する光源装置６は、観察者の両眼１１Ｌ、１１Ｒの眼幅とほぼ同等かそれより小さい画像形成面を有しているものである。
【００２９】
さらにこの光源装置６の画像形成面が左右に２分割され、分割されたそれぞれの画像形成面に対して適視距離から観察したときに拡大虚像の得られる光学手段が設けられる。この光学手段は、分割されたそれぞれの画像形成面の光源装置６からの光線を観察者の両眼１１Ｌ、１１Ｒの各瞳の方向に屈折させる第１の光学部材（凸レンズ）３Ｌ、３Ｒと、各微小点光源Ｂからの光線を収束させた上で略平行光束に変換させる第２の光学部材（マイクロ凸レンズ）４とから成る。
【００３０】
すなわち、第１の光学部材３Ｌ、３Ｒは、例えば単一の凸レンズを２分割して左右を入れ替えて設置したものである。また、第２の光学部材４は、光源装置６の微小点光源Ｂごとにマイクロ凸レンズが設けられたものである。これにより、光源装置６からの光線は、観察者の両眼１１Ｌ、１１Ｒの各瞳の方向に屈折され、さらに収束された上で略平行光束に変換されて画像表示面１０から放射される。なお、画像表示面１０には、放射される光線をカラー化するためのカラーフィルタ５が設けられる。
【００３１】
これによって、観察者の両眼１１Ｌ、１１Ｒでは、左右に２分割された光源装置６の画像形成面が、それぞれ独立に観察されることになる。そしてこの場合に、それぞれの画像形成面は、第１及び第２の光学部材３Ｌ、３Ｒ、４の作用によって、適視距離から観察したときに拡大虚像が得られるように光学設計がされているものである。
【００３２】
さらに図２のＡには画像表示装置の第３の実施形態を示す。この第３の実施形態においては、面光源１と複数の微小開口部Ａが２次元に配置されたバルブ素子２とが近接して設けられる。そして、これらの各微小開口部Ａを面光源１からの光線が透過することによって、複数の点光源が２次元に配置された光源手段が構成される。なお、この光源手段を構成するバルブ素子２は、観察者の両眼１１Ｌ、１１Ｒの眼幅とほぼ同等かそれより小さい点光源の配置面を有しているものである。
【００３３】
さらにこのバルブ素子２による上述の点光源の配置面が左右に２分割され、分割されたそれぞれの配置面に対して適視距離から観察したときに拡大虚像の得られる光学手段が設けられる。この光学手段は、分割されたそれぞれの配置面のバルブ素子２からの光線を観察者の両眼１１Ｌ、１１Ｒの各瞳の方向に屈折させる第１の光学部材（凸レンズ）３Ｌ、３Ｒと、各微小開口部Ａからの透過光を収束させた上で略平行光束に変換させる第２の光学部材（マイクロ凸レンズ）４とから成る。
【００３４】
すなわち、第１の光学部材３Ｌ、３Ｒは、例えば単一の凸レンズを２分割して左右を入れ替えて設置したものである。また、第２の光学部材４は、バルブ素子２の微小開口部Ａごとにマイクロ凸レンズが設けられたものである。これにより、バルブ素子２を透過された光線は、観察者の両眼１１Ｌ、１１Ｒの各瞳の方向に屈折され、さらに収束された上で略平行光束に変換される。そしてこの変換された光線によって、例えば透過型の液晶ディスプレイからなる画像表示素子７の後方から照明が行われる。
【００３５】
これにより、画像表示素子７の画像表示面は、バルブ素子２の点光源の配置面と同様に左右に２分割され、分割されたそれぞれの画像表示面の透過光は、それぞれ極めて高い指向性を持って観察者の両眼１１Ｌ、１１Ｒの各瞳の方向に向かう光線となっている。そして、この観察者の両眼１１Ｌ、１１Ｒの各瞳の方向に向かう光線が、画像表示面１０から放射される。なお、画像表示面１０には、放射される光線をカラー化するためのカラーフィルタ５が設けられる。
【００３６】
これによって、観察者の両眼１１Ｌ、１１Ｒでは、左右に２分割された画像表示素子７の画像表示面が、それぞれ独立に観察されることになる。そしてこの場合に、それぞれの画像表示面は、第１及び第２の光学部材３Ｌ、３Ｒ、４の作用によって、適視距離から観察したときに拡大虚像が得られるように光学設計がされているものである。
【００３７】
また、図２のＢには画像表示装置の第４の実施形態を示す。この第４の実施形態においては、第３の実施形態の面光源１とバルブ素子２に替えて、複数の微小点光源Ｂが２次元に配置された光源装置６が設けられる。そして、これらの各微小点光源Ｂが光線を発生することによって、複数の点光源が２次元に配置された光源手段が構成される。なお、この光源手段を構成する光源装置６は、観察者の両眼１１Ｌ、１１Ｒの眼幅とほぼ同等かそれより小さい微小点光源Ｂの配置面を有しているものである。
【００３８】
さらにこの光源装置６による上述の微小点光源Ｂの配置面が左右に２分割され、分割されたそれぞれの配置面に対して適視距離から観察したときに拡大虚像の得られる光学手段が設けられる。この光学手段は、分割されたそれぞれの配置面の微小点光源Ｂからの光線を観察者の両眼１１Ｌ、１１Ｒの各瞳の方向に屈折させる第１の光学部材（凸レンズ）３Ｌ、３Ｒと、各微小開口部Ａからの透過光を収束させた上で略平行光束に変換させる第２の光学部材（マイクロ凸レンズ）４とから成る。
【００３９】
すなわち、第１の光学部材３Ｌ、３Ｒは、例えば単一の凸レンズを２分割して左右を入れ替えて設置したものである。また、第２の光学部材４は、光源装置６の微小開口部Ａごとにマイクロ凸レンズが設けられたものである。これにより、光源装置６を透過された光線は、観察者の両眼１１Ｌ、１１Ｒの各瞳の方向に屈折され、さらに収束された上で略平行光束に変換される。そしてこの変換された光線によって、例えば透過型の液晶ディスプレイからなる画像表示素子７の後方から照明が行われる。
【００４０】
これにより、画像表示素子７の画像表示面は、光源装置６の微小点光源Ｂの配置面と同様に左右に２分割され、分割されたそれぞれの画像表示面の透過光は、それぞれ極めて高い指向性を持って観察者の両眼１１Ｌ、１１Ｒの各瞳の方向に向かう光線となっている。そして、この観察者の両眼１１Ｌ、１１Ｒの各瞳の方向に向かう光線が、画像表示面１０から放射される。なお、画像表示面１０には、放射される光線をカラー化するためのカラーフィルタ５が設けられる。
【００４１】
これによって、観察者の両眼１１Ｌ、１１Ｒでは、左右に２分割された画像表示素子７の画像表示面が、それぞれ独立に観察されることになる。そしてこの場合に、それぞれの画像表示面は、第１及び第２の光学部材３Ｌ、３Ｒ、４の作用によって、適視距離から観察したときに拡大虚像が得られるように光学設計がされているものである。
【００４２】
そして、このような画像表示装置を使用する場合には、例えば図３に示すように、単一の画像を左右に２分割して右側の半分と同等かそれよりやや広い画像が２分割した画像表示面１０の左側に表示され、左側の半分と同等かそれよりやや広い画像が２分割した画像表示面１０の右側に表示されるように制御された表示が行われる。なおこの図３は、画像表示装置を携帯電話機１００のディスプレイに用いた場合の使用形態を示している。
【００４３】
従ってこのような表示が行われることにより、観察者の両眼１１Ｌ、１１Ｒから見た拡大虚像１２では、図示のように左右が入れ替わって観察が行われることになり、画像表示面１０の後方に形成される拡大虚像１２を良好に観察することができる。すなわち、観察者の左眼１１Ｌでは画像表示面１０の左側が観察されるが、この画像は拡大虚像１２の右側の半分となる。また、観察者の右眼１１Ｒでは画像表示面１０の右側が観察されるが、この画像は拡大虚像１２の左側の半分となる。
【００４４】
そして、これらの両眼１１Ｌ、１１Ｒで観察された画像がつながって知覚されることによって、良好な拡大虚像１２の観察が行われることになる。なおこの場合に、観察される画像は虚像なので、画像表示面１０と拡大虚像１２との遠近の違いによって眼が疲れるようなことがない。こうして、上述の画像表示装置によれば、極めて良好な拡大虚像１２の観察を行うことができるものである。
【００４５】
ところで、上述の画像表示装置においては、バルブ素子２の微小開口部Ａ、若しくは光源装置６の微小点光源Ｂから発せられた光線が、観察者の両眼１１Ｌ、１１Ｒの各瞳の方向に向けられるものとしているが、この観察者の両眼１１Ｌ、１１Ｒの眼の間隔（眼幅）には個人差がある。ここで市販の双眼鏡等を調査したところ、眼幅調整は最大で４６ｍｍ〜７５ｍｍとされたものが存在している。
【００４６】
そこで本発明の画像表示装置においても、眼幅調整を行う手段を設けることが考えられる。すなわち図４には、そのような眼幅調整のための原理を示す。この図４において、バルブ素子２の微小開口部Ａ、若しくは光源装置６の微小点光源Ｂによる光源位置を、図示の位置ａまたは位置ｂに切り換えることにより、観察者の両眼１１Ｌ、１１Ｒの各瞳の方向に向けられる光線の眼幅を、図示の眼幅ａまたは眼幅ｂに切り換えることができる。
【００４７】
このようにして、本発明の画像表示装置においても眼幅調整を行うことができる。なお具体的な手段としては、上述のバルブ素子２の微小開口部Ａ、若しくは光源装置６の微小点光源Ｂを水平方向に複数並列に設け、これらを切り換えて使用することにより実現することができる。但しこの場合に、眼幅調整には観察者の両眼１１Ｌ、１１Ｒの調節機能も期待できるので、実際には最大と最小及びその中間の通り程度向ければ充分である。
【００４８】
さらに、このような光源位置の切り換えを行っている場合にはその全てを点灯、あるいは切り換えを行っていない場合でも、バルブ素子２の微小開口部Ａ、若しくは光源装置６の微小点光源Ｂの範囲を拡大することにより、上述の光線が観察者の両眼１１Ｌ、１１Ｒの各瞳の方向に向う指向性をなくすることができる。これによって、画像表示面１０を通常の直視型とすることができるが、その場合には、上述の画像の左右の入れ替えを止める必要がある。
【００４９】
また、観察者の両眼１１Ｌ、１１Ｒの調節機能によっては、左右に入れ替えて表示される画像の境界部分に重複を設けた方が見やすくなる場合がある。すなわち、図５のＡ、Ｂに示すように、画像の境界の３の部分を重複させたり（図５のＡ）、画像の境界の２〜４の部分を重複させたり（図５のＢ）することによって、拡大虚像１２の観察を良好に行わせることができるようになる場合がある。
【００５０】
そこで図６には、上述の各種の調整機構を含む本発明の画像表示装置のブロック図を示す。図６において、アンテナ２１に到来した信号が無線送受信部２２で受信される。また、上述の画像表示面１０を直視型とするための表示切替ボタン２３、眼幅調整ボタン２４、画像の境界部分の重複を設定する表示画像範囲設定ボタン２５が設けられ、これらの無線送受信部２２〜表示画像範囲設定ボタン２５からの信号が制御部２６に供給されて、画像表示に必要な画像情報が形成される。
【００５１】
さらに、形成された画像情報はメモリ２７に一旦記憶され、必要に応じて制御部２６を通じて取り出される。そして取り出された画像情報は、画像制御部２８を通じて画像表示部２９に供給される。なお画像表示部２９は、上述のバルブ素子２、若しくは光源装置６、または画像表示素子７であって、画像制御部２８はこれらの画像表示部２９のシステムや種別に合せて、取り出された画像情報の制御を行うものである。
【００５２】
なお、図６の実施形態において、画像表示部で表示される画像は、アンテナ及び無線送受信部を介して接続したテレビ放送の映像やＧＰＳ画像や送受信する電子メール、また、アンテナ及び無線送受信部を介して接続したニュースや天気予報やゲームやチケット予約や音楽や生活情報や銀行の残高照会・振込みや株取引などのサイト、さらにメモリに蓄積されている静止画像や動画や文書ファイルなどである。
【００５３】
このようにして、本発明の画像表示装置において、観察者が適視距離から観察したときに拡大虚像が得られると共に、画像表示面を直視型とするための表示切替や、眼幅調整、画像の境界部分の重複の設定等を行うことができる。また、拡大虚像観察時に画像表示部に表示される画像は周囲の人からは容易に認識されないため、セキュリティーに優れるという効果もある。
【００５４】
さらに上述の実施形態では、図３のように携帯電話機１００のディスプレイに用いた場合の使用形態を示したが、例えば図７に示すように携帯用表示装置２００を別体の装置とし、画像制御装置３００で形成される単一の画像を左右に２分割して右側の半分と同等かそれよりやや広い画像を２分割した左側の画像表示面に表示し、左側の半分と同等かそれよりやや広い画像を２分割した右側の画像表示面に表示するように制御された画像信号が供給される入力手段が、携帯用表示装置２００に設けられるようにしても良い。
【００５５】
このようにして本発明の画像表示装置は、画像制御装置から独立した携帯用表示装置として実施することが可能なものである。さらに本発明の画像表示装置は、携帯端末装置の表示用アダプタとして用いることができる。あるいは、ＰＤＡや携帯型ゲーム機等の電子情報処理装置の表示用アダプタとして用いることができる。
【００５６】
また、本発明の画像表示装置に表示される画像には、そのコンテンツとして動画像、静止画像、サイトの画像、電子メールの画像、ドキュメントファイルの画像を含み、これらの画像が拡大虚像となるように表示することができるものである。さらに、本発明の画像表示装置によれば、画像表示面の周辺部を黒色または暗色の外装とすることにより、周辺部が目障りとなることがなく、拡大虚像の観察を良好に行うことができるものである。
【００５７】
こうして上述の発明によれば、両眼の眼幅とほぼ同等かそれより小さい画像表示面を有する画像表示手段を用いて、両眼視による良好な拡大画像の観察を行うことができるものである。
【００５８】
なお本発明は、上述の説明した実施形態に限定されるものではなく、特許請求の範囲に記載された本発明の要旨を逸脱しない限りにおいて、種々の変形が可能とされるものである。
【図面の簡単な説明】
【００５９】
【図１】本発明を適用した画像表示装置の第１及び第２の実施形態の構成を示す模式図である。
【図２】本発明を適用した画像表示装置の第３及び第４の実施形態の構成を示す模式図である。
【図３】本発明を適用した画像表示装置の一の実施形態の説明のための図である。
【図４】その説明のための図である。
【図５】その説明のための図である。
【図６】本発明の画像表示装置のブロック図である。
【図７】本発明を適用した画像表示装置のさらに他の実施形態の説明のための図である。
【符号の説明】
【００６０】
１…面光源、２…バルブ素子、Ａ…複数の微小開口部、３Ｌ，３Ｒ…第１の光学部材（凸レンズ）、４…第２の光学部材（マイクロ凸レンズ）、５…カラーフィルタ、１０…画像表示面、１１Ｌ，１１Ｒ…観察者の両眼
【図１】
2006154482.tif 000003
【図２】
2006154482.tif 000004
【図３】
2006154482.tif 000005
【図４】
2006154482.tif 000006
【図５】
2006154482.tif 000007
【図６】
2006154482.tif 000008
【図７】
2006154482.tif 000009